(57)【特許請求の範囲】
【請求項１】
遊技店の島設備に配設された遊技機が備える開閉扉部材の監視を行う遊技機監視機構と、
所定のネットワークにより前記遊技機監視機構を管理する管理装置と、
からなる遊技機監視システムであって、
前記遊技機監視機構は、
前記遊技機に設けられ、前記遊技機が備える開閉扉部材の開放を規制するロック装置と、
前記遊技機の上方の島設備に遊技機に対応して設けられ、前記ロック装置を制御するロック装置制御端末と、からなり、
前記ロック装置は、
前記開閉扉部材の開放を規制する開放規制手段と、
前記開閉扉部材の開閉状態を検出する開閉検出手段と、
を備え、
前記ロック装置制御端末は、
前記開閉扉部材の開放を要求する操作者を特定する操作者固有情報付開放要求信号を受け入れて該操作者固有情報付開放要求信号を前記管理装置へ送信する開放要求信号送信手段と、
前記開閉扉部材の閉止を行った操作者を特定する操作者固有情報付閉止終了連絡信号を受け入れて該操作者固有情報付閉止終了連絡信号を前記管理装置へ送信する閉止終了連絡信号送信手段と、
前記管理装置からの開放許可信号に基づいて、前記開放規制手段による規制を解除する開放規制解除手段と、
前記管理装置からの報知停止信号を受け入れる報知停止信号受信手段と、
前記管理装置からの開放許可信号を受信した場合に所定の報知動作を行うとともに、前記報知停止信号受信手段が前記管理装置からの報知停止信号を受信した場合に前記報知動作を停止する報知手段と、
前記開閉検出手段の検出結果に応じて開放信号あるいは閉止信号を前記管理装置に送信するための開閉送信手段と、
を含み、
前記管理装置には、
前記開放要求信号送信手段からの操作者固有情報付開放要求信号の正当性を判定し、該判定結果が正当な場合には、前記開放規制解除手段へ開放許可信号を送信する開放許可信号送信手段と、
前記開閉扉部材の閉止による前記閉止信号を受信した後に前記閉止終了連絡信号送信手段からの操作者固有情報付閉止終了連絡信号を受け入れる閉止終了連絡信号受信手段と、
該閉止終了連絡信号受信手段により受け入れた操作者固有情報付閉止終了連絡信号の正当性を判定する判定手段と、
該判定手段により、操作者固有情報付閉止終了連絡信号の正当性が認められた場合には、前記報知停止信号受信手段へ報知停止信号を送信する報知停止信号送信手段と、
を備え、
前記報知手段は、前記管理装置から開放許可信号を受信してから、前記報知停止信号受信手段が前記管理装置から送信される報知停止信号を受け入れるまでの間は、所定の報知動作を継続して行うことを特徴とする遊技機監視システム。
【請求項２】
前記判定手段は、前記操作者固有情報付開放要求信号の操作者固有情報と、前記操作者固有情報付閉止終了連絡信号の操作者固有情報との比較により前記操作者固有情報付閉止終了連絡信号の正当性を判定することを特徴とする請求項１記載の遊技機監視システム。
【請求項３】
前記報知手段は、前記開放規制手段により前記開閉扉部材の開放が規制されている状態において、前記開閉検出手段によって前記開閉扉部材の開放が検出された場合に、異常発生を示す所定の報知動作を行うことを特徴とする請求項１または請求項２記載の遊技機監視システム。
【請求項４】
前記操作者固有情報付閉止終了連絡信号を規定時間内に受信しなかった場合は、前記報知手段による報知を前記開閉扉部材の閉止確認を催促する報知へと内容変更することを特徴とする請求項１〜３の何れか１項に記載の遊技機監視システム。
【発明の詳細な説明】
【０００１】
【発明の属する技術分野】
この発明は、開閉扉部材を備えた遊技機を遊技店の島設備に設置した状態において前記開閉扉部材の開閉状態を監視する遊技機監視装置および遊技機監視システムに関する。
【０００２】
【従来の技術】
遊技店に設置されている遊技機、例えば、パチンコ遊技機は、島設備に釘等で取り付けられた機枠と、該機枠に対しヒンジ機構を介して開閉可能に取り付けられた内枠とから構成されていて、内枠には、遊技盤、球の発射機構、賞球の排出機構及び各種制御回路などが配設されている。
そして、例えば、賞球が正常に出てこないといった不具合に対処するために、遊技機の内枠は、片開き形式に開閉可能となっていて、常時は、従業員以外は開放することができないように、自由端側に設けられた施錠装置にて施錠されている。
しかし、近年、遊技店が営業していない夜間に不法侵入し、遊技機の施錠を解除して内枠を開放し、内枠に取り付けられている制御回路を交換して、大当たりの発生確率を著しく高め、その遊技機で営業中に遊技を行って、不当に利益を得るといった不正行為が発生している。
そのような不正行為により遊技店は多大な損害を被っており、その対策として、一部の遊技店においては、内枠の開閉状態を検出するスイッチを遊技店内の全遊技機に設け、常時、それをホールコンピュータによって監視するようにしている。
【０００３】
【発明が解決しようとする課題】
内枠の開放状態をスイッチにより検出する上記の方法では、従業員が内枠を開けた場合と、不正遊技者が不正に内枠を開けた場合とを区別するために、内枠が開放している遊技機をカメラで写して、事務所（管理室）のモニターで監視するようにしている。
しかし、このようなモニターによる監視は、遊技機の台数が多くなって、内枠を開放する回数が増えるほど、モニターを監視する管理者の負担が増大し、それに伴い監視レベルが低下していた。また、頻繁に報知が行われるため、モニターを見る管理者の緊張感が薄れ、注意が散漫になりがちであった。そのため、営業中に、堂々と内枠を開けて不正行為が行われているにもかかわらず、管理者がそれに気付かないこともあった。
また、一般的に、従業員が不足ぎみであるにもかかわらず、遊技店に設置される遊技機の台数は従来より増加傾向にあるため、従業員が内枠を開放して作業を行った後に、多忙のあまり内枠を閉め忘れるといった不注意が多く発生するようになっている。このような不注意は、不正行為をより行い易い状況としている。
【０００４】
この発明は、上記のような問題点を解決するためになされたもので、従業員による内枠の閉め忘れ、並びに内枠の不正による開放を可及的になくすことを可能とする遊技機監視装置および遊技機監視システムを提供することを目的とする。
【００１０】
上記課題を解決するため、請求項１記載の発明は、遊技店の島設備に配設された遊技機が備える開閉扉部材の監視を行う遊技機監視機構と、
所定のネットワークにより前記遊技機監視機構を管理する管理装置と、
からなる遊技機監視システムであって、
前記遊技機監視機構は、
前記遊技機に設けられ、前記遊技機が備える開閉扉部材の開放を規制するロック装置と、
前記遊技機の上方の島設備に遊技機に対応して設けられ、前記ロック装置を制御するロック装置制御端末と、からなり、
前記ロック装置は、
前記開閉扉部材の開放を規制する開放規制手段と、
前記開閉扉部材の開閉状態を検出する開閉検出手段と、
を備え、
前記ロック装置制御端末は、
前記開閉扉部材の開放を要求する操作者を特定する操作者固有情報付開放要求信号を受け入れて該操作者固有情報付開放要求信号を前記管理装置へ送信する開放要求信号送信手段と、
前記開閉扉部材の閉止を行った操作者を特定する操作者固有情報付閉止終了連絡信号を受け入れて該操作者固有情報付閉止終了連絡信号を前記管理装置へ送信する閉止終了連絡信号送信手段と、
前記管理装置からの開放許可信号に基づいて、前記開放規制手段による規制を解除する開放規制解除手段と、
前記管理装置からの報知停止信号を受け入れる報知停止信号受信手段と、
前記管理装置からの開放許可信号を受信した場合に所定の報知動作を行うとともに、前記報知停止信号受信手段が前記管理装置からの報知停止信号を受信した場合に前記報知動作を停止する報知手段と、
前記開閉検出手段の検出結果に応じて開放信号あるいは閉止信号を前記管理装置に送信するための開閉送信手段と、
を含み、
前記管理装置には、
前記開放要求信号送信手段からの操作者固有情報付開放要求信号の正当性を判定し、該判定結果が正当な場合には、前記開放規制解除手段へ開放許可信号を送信する開放許可信号送信手段と、
前記開閉扉部材の閉止による前記閉止信号を受信した後に前記閉止終了連絡信号送信手段からの操作者固有情報付閉止終了連絡信号を受け入れる閉止終了連絡信号受信手段と、
該閉止終了連絡信号受信手段により受け入れた操作者固有情報付閉止終了連絡信号の正当性を判定する判定手段と、
該判定手段により、操作者固有情報付閉止終了連絡信号の正当性が認められた場合には、前記報知停止信号受信手段へ報知停止信号を送信する報知停止信号送信手段と、
を備え、
前記報知手段は、前記管理装置から開放許可信号を受信してから、前記報知停止信号受信手段が前記管理装置から送信される報知停止信号を受け入れるまでの間は、所定の報知動作を継続して行う構成とした。
【００１１】
この請求項１記載の発明によれば、開閉扉部材の開放を要求する操作者を特定する操作者固有情報付開放要求信号を受け入れて該操作者固有情報付開放要求信号を前記管理装置へ開放要求信号送信手段が送信し、この開放要求信号送信手段からの操作者固有情報付開放要求信号の正当性を判定して、該判定結果が正当な場合には、開放規制解除手段へ開放許可信号を開放許可信号送信手段が送信し、この管理装置からの開放許可信号に基づいて、開放規制手段による規制を開放規制解除手段が解除するため、操作者固有情報付開放要求信号の正当性の判定結果が正当でなければ、開放規制手段による開閉扉部材の開放の規制を解除して、開閉扉部材を開放することができない。つまり、例えば、従業員などの正当な操作者でなければ、開閉扉部材の開放の規制を解除して、開閉扉部材を開放することができないため、不正行為等による開閉扉部材の開放を防止することが可能となる。
また、報知手段は、管理装置からの開放許可信号を受信した場合に所定の報知動作を行うとともに、報知停止信号受信手段が管理装置からの報知停止信号を受信した場合に報知動作を停止し、開閉検出手段は、開閉扉部材の開閉状態を検出し、該検出結果に応じて開放信号或いは閉止信号を開閉送信手段が前記管理装置に送信する。
また、報知手段が、管理装置から開放許可信号を受信してから、報知停止信号受信手段が管理装置から送信される報知停止信号を受け入れるまでの間は、所定の報知動作を継続して行うため、開閉扉部材の閉め忘れを低減することが可能となる。
また、操作者固有情報付開放要求信号及び操作者固有情報付閉止終了連絡信号の正当性の判定が管理装置において集中して行われるため、例えば、正当性の判定を行うための情報の管理が容易となる。
【００１２】
請求項２記載の発明は、請求項１に記載の遊技機監視システムであって、
前記判定手段は、前記操作者固有情報付開放要求信号の操作者固有情報と、前記操作者固有情報付閉止終了連絡信号の操作者固有情報との比較により前記操作者固有情報付閉止終了連絡信号の正当性を判定する構成とした。
【００１３】
この請求項２記載の発明によれば、判定手段が、操作者固有情報付開放要求信号の操作者固有情報と、操作者固有情報付閉止終了連絡信号の操作者固有情報との比較により操作者固有情報付閉止終了連絡信号の正当性を判定するため、開閉扉部材を開放操作した操作者以外の者は、報知手段による報知動作を停止させることができない。従って、開閉扉部材を開放操作した操作者は、責任を持って開閉扉部材を閉止するようになり、不注意による、開閉扉部材の閉め忘れを低減することが可能となる。
【００１４】
請求項３記載の発明は、請求項１または請求項２記載の遊技機監視システムであって、
前記報知手段は、前記開放規制手段により前記開閉扉部材の開放が規制されている状態において、前記開閉検出手段によって前記開閉扉部材の開放が検出された場合に、異常発生を示す所定の報知動作を行う構成とした。
【００１５】
この請求項３記載の発明によれば、報知手段が、開放規制手段により開閉扉部材の開放が規制されている状態において、開閉検出手段によって開閉扉部材の開放が検出された場合に、異常発生を示す所定の報知動作を行うため、例えば、不正行為や、開放規制手段の故障などが発生した場合に、速やかに対処することが可能となる。
【００１６】
請求項４記載の発明は、請求項１〜３の何れかに記載の遊技機監視システムであって、
前記操作者固有情報付閉止終了連絡信号を規定時間内に受信しなかった場合は、前記報知手段による報知を前記開閉扉部材の閉止確認を催促する報知へと内容変更する構成とした。
【００１７】
この請求項４記載の発明によれば、操作者固有情報付閉止終了連絡信号を規定時間内に受信しなかった場合は、報知手段による報知が開閉扉部材の閉止確認を催促する報知へと内容変更される。
【００１８】
【発明の実施の形態】
以下、この発明の実施の形態について、図１〜図１４の図面を参照しながら説明する。
【００１９】
［第１の実施の形態］
図１は、この発明の第１の実施の形態の遊技機監視システムが監視対象とする遊技機として例示するパチンコ遊技機を示す正面図である。
【００２０】
この実施の形態のパチンコ遊技機１００の開閉扉部材として例示する内枠１０は、図１に示すように、上下のヒンジ機構７０Ａ、７０Ｂを介して、機枠２０に対して回動自在に支持されて、片開き形式に前方向に開閉可能となっている。また、内枠１０の自由端側には、機枠２０に対して内枠１０を閉止した状態に施錠可能な施錠装置７１が設けられている。
また、パチンコ遊技機１００が設置された島の近接する部分（図には現れないが、例えば、パチンコ遊技機１００の上方部分）には、後述のロック装置５０を制御するロック装置制御端末２００（図５）が設置されている。
【００２１】
図２は、パチンコ遊技機に取り付けられたロック装置を示すパチンコ遊技機の部分斜視図、図３は、ロック装置を示す断面図である。
【００２２】
機枠２０の裏面側下端部には、図２に示すように、内枠１０の開放を規制する開放規制手段として例示するロック装置５０が取り付けられている。
また、内枠１０の裏面側下端部の、ロック装置５０と対応する位置には、該ロック装置５０と係合可能なロック係止部材３０が取り付けられている。このロック係止部材３０には、上下に貫通する係合穴３１が形成されている。
【００２３】
ロック装置５０は、図３に示すように、ロック係止部材３０との係合により内枠１０の開放を規制するもので、その上端部には、ロック係止部材３０と嵌合可能な凹室６６が形成されている。
この凹室６６の中央には、開口部６５Ａを有する取付孔６５（図３）が形成され、この取付孔６５には、ロック係止部材３０の係合穴３１と係合して内枠１０を機枠２０に係止するロック作動片６２を備え、該ロック作動片６２を、ロック装置制御端末２００（図４）の制御により、上下方向に動作させるロックソレノイド６０が設置されている。
また、凹室６６の後端側には、内枠１０の開閉状態を検出して、該開閉状態の検出信号（開放信号、閉止信号）をロック装置制御端末２００（図４）へ出力する開閉検出スイッチ５１が設けられている。
この開閉状態検出スイッチ５１は、例えば、ロック係止部材３０の位置に応じ接点が開閉して内枠１０の開閉状態を検出するマイクロスイッチ等により構成されている。
【００２４】
ロック装置５０、ロック係止部材３０及び開閉状態検出スイッチ５１は上記のように構成されていて、次のように動作する。
ロック作動片６２は、ロックソレノイド６０の励磁／消磁（ＯＮ／ＯＦＦ）状態に応じて、上下方向に移動するようになっている。
常時は、ロックソレノイド６０が消磁（ＯＦＦ）状態にあって、ロック作動片６２は、バネ材６１の付勢により、凹室６６中に突出する位置（図３の位置）まで上昇した状態になっている。この状態で、ロック作動片６２が、ロック係止部材３０と係合して、内枠１０の開放が規制された状態（ロック作動状態）になっている。
この時には、ロック係止部材３０の先端が開閉状態検出スイッチ５１に接触し、開閉状態検出スイッチ５１がＯＮ状態となっていて、そのＯＮ信号（閉止信号）がロック装置制御端末２００（図５）に送られている。
【００２５】
この状態で、ロックソレノイド６０が励磁（ＯＮ）されると、該ロックソレノイド６０の駆動により、ロック作動片６２の先端部６２ａが開口部６５Ａより上方に突出しない位置まで下降する。そして、ロック作動片６２とロック係止部材３０との係合が解除されて、内枠１０が機枠２０に対して自由に開閉可能な状態（ロック解除状態）となる。
この状態で内枠１０を開放させると、ロック係止部材３０の先端が開閉状態検出スイッチ５１から離れて、開閉状態検出スイッチ５１がＯＦＦ状態となって、そのＯＦＦ信号（開放信号）がロック装置制御端末２００に送られる。
【００２６】
この状態から、内枠１０を閉止する場合には、ロックソレノイド６０を消磁させて、ロック作動片６２を凹室６６中に突出させた状態にしてから、内枠１０を閉めれば、ロック係止部材３０が凹室６６中に入り込む過程で、該ロック部材３０がロック作動片６２の上端部６２ａ前側の滑らかな曲面に接触して該ロック部材６２を押し下げながら進んで、ロック係止部材３０の係合穴３１がロック作動片６２と出会い、その出会った時点で、ロック作動片６２がバネ材６１の付勢力により上昇して係合穴３１中に入り込んで閉止された状態に復帰する。
この時には、ロック係止部材３０の先端が開閉状態検出スイッチ５１に接触し、開閉状態検出スイッチ５１がＯＮ状態に戻って、そのＯＮ信号（閉止信号）がロック装置制御端末２００に送られる。
【００２７】
次に、このように構成されるパチンコ遊技機１００の内枠１０の開閉状態を監視する遊技機監視システム１について説明する。
【００２８】
図４は、第１の実施の形態の遊技機監視システムを示すブロック図、図５は、遊技機監視システムを構成するロック装置制御端末を示すブロック図である。
【００２９】
この実施の形態の遊技機監視システム１は、例えば、図４に示すように、前述のロック装置５０，…と、該ロック装置５０，…を制御するロック装置制御端末２００，…と、該ロック装置制御端末２００，…と遊技店内のネットワークを介して接続される管理装置３００、アナウンスシステム３５０Ａ、インカムシステム３６０Ａ、カメラシステム３７０Ａ、及び報知手段として例示する島端ランプ２５０、…と、従業員が携帯するインカム４０１，…及びリモコン４００，…と、管理装置３００と回線接続される警備会社の報知手段として例示する外部端末５００等とにより構成されている。
これら遊技機監視システム１を構成する各機器は、常時、電源が投入されているため、パチンコ遊技機１００，…の内枠１０，…の開閉状態は、常に監視可能な状態となっている。
【００３０】
遊技店内には、ＬＡＮ等のネットワークが構築され、このネットワークには、ロック装置制御端末２００，…をはじめ、島設備の島端ランプ２５０，…、管理装置３００、アナウンスシステム３５０Ａ、インカムシステム３６０Ａ、カメラシステム３７０Ａ等が接続されている。
また、管理装置３００には、各リモコン４００，…のリモコン固有ＩＤを設定入力するリモコンＩＤ設定装置３０２が接続されている。
また、アナウンスシステム３５０Ａには報知手段として例示する店内スピーカー３５０，…が、インカムシステム３６０Ａにはインカム４０１，…と通信するためのアンテナ３６０が、カメラシステム３７０Ａには遊技店内を写す報知手段として例示する監視カメラ３７０，…が、それぞれ接続されている。
そして、遊技店外の警備会社には、遊技店の営業時間外に生じた異常に対して報知を行う外部端末５００が設置され、この外部端末５００は、モデム３０１、５０１を介して、管理装置３００と回線接続されている。
【００３１】
また、遊技店内の各従業員が携帯するインカム４０１，…は、アンテナ３６０を介してインカムシステム３６０Ａと通信可能となっていて、リモコン４００，…は、リモコン受光部２１４，…（図５）を介してロック装置制御端末２００，…に信号の送信が可能となっている。
【００３２】
ロック装置制御端末２００は、図５に示すように、遊技者が従業員を呼び出すための呼出スイッチ２１０、内枠１０の開放状態を報知する報知手段として例示する報知ランプ２１１、大当たり発生中に点灯する大当たりランプ２１２、呼出スイッチ２１０の押圧により点滅する呼出ランプ２１３、リモコン４００から発せられる信号（開放許可要求信号、閉止確認要求信号、リモコン固有ＩＤ）を受信するリモコン受光部２１４、これら各装置やロック装置５０の制御を行う制御通信部２０１等から構成されている。
このロック装置制御端末２００は、制御通信部２０１を介して、パチンコ遊技機１００（役物制御回路）、ロック装置５０（ロックソレノイド６０、開放検出スイッチ５１）、島端ランプ２５０、管理装置３００等と接続されている。
【００３３】
制御通信部２０１は、ＣＰＵ（Central Processing Unit）２２０、ＲＯＭ（Read Only Memory）２２１、ＲＡＭ（Random Access Memory）２２２、及びインターフェース２２３等により構成されている。
この制御通信部２０１は、ロック装置５０の開放検出スイッチ５１からの検出信号（開放信号、閉止信号）、リモコン受光部２１４からの各種信号（開放許可要求信号、閉止確認要求信号、リモコン固有ＩＤ）等を管理装置３００へ送信するとともに、該管理装置３００より発せられた各種信号（モード切換信号、ロック解除許可信号、報知停止信号、リセット信号）に基づき、ロック装置５０のロックソレノイド６０を制御したり、島端ランプ２５０及び報知ランプ２１１を点滅させたりする。
また、パチンコ遊技機１００（役物制御回路）からの大当たり情報、呼び出しスイッチ２１０からの検出信号に基づき、島端ランプ２５０、大当たりランプ２１２、呼出ランプ２１３を点滅させたりもする。
【００３４】
管理装置３００は、図４に示すように、例えば、キーボード等の入力装置３１０、ハードディスク等の記憶装置３２０、ＣＲＴ等の表示装置３３０、図に現れないＣＰＵ、ＲＯＭ、及びＲＡＭ等の制御の中心となる電子部品を搭載したＣＰＵボード（通信制御部）、ネットワークを介してロック装置制御端末２００，…や他の装置と通信を行う通信ボード（通信制御部）などを備え、遊技店全体の統括管理及び運営管理を行っている。
この管理装置３００は、ロック装置制御端末２００からの各種信号（開放信号、閉止信号、ロック解除要求信号、閉止認識要求信号、リモコン固有ＩＤ等）や、入力装置３１０からの各種入力に基づいて、ロック装置制御端末２００に各種制御信号（モード切換信号、ロック解除許可信号、報知停止信号、リセット信号）を送信して所要の動作を行わせるとともに、各種システムを介して、店内スピーカー３５０、インカム４０１、監視カメラ３７０、或いは警備会社の外部端末５００に対して所定の報知動作を行わせる。
また、管理装置３００は、リモコンＩＤ設定装置３０２によって各リモコン４００，…に設定されたリモコン固有ＩＤを記憶装置３２０に記憶し、該記憶している（又は、過去に受信した信号に付加されていた）リモコン固有ＩＤに基づいて、ロック装置制御端末２００からの信号（ロック解除要求信号、閉止認識要求信号）の正当性を判定している。
【００３５】
次に、このように構成される遊技機監視システム１によって行われる遊技機監視処理について、図６〜図１３を参照しながら説明を行う。
【００３６】
図６は、遊技機監視システムによって行われる遊技機監視処理のゼネラルフロー、図７〜図１２は、図６の詳細なフローチャート、図１３は、遊技機監視処理のタイミングチャートである。
【００３７】
遊技機監視処理は、管理装置３００及びロック装置制御端末２００，…それぞれの電源の投入と同時に開始され、電源が投入されている限り繰り返しその処理が行われる。この遊技機監視処理は、管理装置３００及びロック装置制御端末２００，…において相互に信号を遣り取りしながら、連動して行われる。
【００３８】
先ず、各ロック装置制御端末２００，…側で行われる遊技機監視処理について説明する。
【００３９】
ロック装置制御端末２００の電源が投下されると、ステップＳ１０の初期化処理が行われる。
この初期化処理では、ＲＡＭ２２２の記憶内容のクリア、後述の処理にて用いられる各種フラグのリセット（”０”にセット）、各種装置への出力リセット（出力をＬレベルに設定）が行われ、ステップＳ２０以降の処理へと移行する。
【００４０】
ステップＳ２０の「モード切換」処理は、図７に示すように、管理装置３００からモード切換指令信号を受信したとき（例えば、営業時間外に、遊技店内のパチンコ遊技機１００，…の遊技盤１，…を交換するときなど）に行われ、後述の管理装置３００において行われるステップＲ２０と対応している。
モード切換指令信号が受信されない場合は、そのときのモードが非監視モードであれば、このステップＳ２０の処理を繰り返し、監視モードであれば、この処理をスキップしてステップＳ３０の処理へと移行する。
【００４１】
ロック装置制御端末２００，…は、管理装置３００からモード切換指令信号を受信する（ステップＳ２１）と、現在のモード（監視モード又は非監視モードの何れか）をもう一方のモードに切り換える（ステップＳ２２）。
そして、その切換後のモードを判別して（ステップＳ２３）、それが監視モードであれば、ロック装置５０，…のロックソレノイド６０，…を消磁（ＯＦＦ）して内枠１０，…の開放規制を作動（ロック作動）させ（ステップＳ２４）、ステップＳ３０（図６）の処理へと移行する（ステップＳ２６）。
一方、切換後のモードが非監視モードであれば、ロックソレノイド６０，…を励磁（ＯＮ）して内枠１０，…の開放規制を解除（ロック解除）し（ステップＳ２５）、このステップＳ２０（図６）の処理を再度繰り返す。
【００４２】
ステップＳ３０の「異常な内枠開放の検出」処理は、ロック装置５０により内枠１０の開放が規制されている状態（ロック作動状態）において、パチンコ遊技機１００の内枠１０が開放されたときの処理である。
このステップＳ３０は、図８に示すように、ロック装置５０の開放検出スイッチ５１が、内枠１０の開放を検出したときに行われ、後述の管理装置３００において行われるステップＲ３０と対応している。
開放信号が受信されない場合は、この処理をスキップして、ステップＳ４０へと移行する。
【００４３】
ロック装置制御端末２００は、内枠１０の開放規制が作動している状態において、開放検出スイッチ５１が内枠１０の開放を検出した（ステップＳ３１）場合には、異常発生と判定し、開放信号を管理装置３００へ送信して所要の動作を行わせる（ステップＳ３２）とともに、報知ランプ２１１及び島端ランプ２５０を点灯させて従業員に対して異常発生を示す報知を行う（ステップＳ３３）。
これら報知などに基づいて、従業員（又は警備会社）が対処し、それにより異常が解消されると、管理装置３００から異常が解消されたことを示すリセット信号が送信される。
ロック装置制御端末２００は、リセット信号を受信する（ステップＳ３４）と、報知ランプ２１１及び島端ランプ２５０を消灯して異常発生を示す報知を停止（ステップＳ３５）し、ステップＳ４０（図６）の処理へと移行する。
【００４４】
ステップＳ４０〜Ｓ７０（図６）は、例えば、パチンコ遊技機１００に球詰まりが発生したときなどに、従業員が所定の手順に従いパチンコ遊技機１００の内枠１０を開放するときの処理で、後述の管理装置３００において行われるステップＲ４０〜Ｒ６０と対応している。
【００４５】
このステップＳ４０の「正常な内枠開放時のロック解除」処理は、図９及び図１０に示すように、リモコン４００から発せられた開放許可要求信号をリモコン受光部２１４が受信したときに行われる。
なお、開放許可要求信号が受信されない場合は、この処理をスキップして、ステップＳ２０の処理へと戻る。
【００４６】
ロック装置制御端末２００は、従業員の操作するリモコン４００から、リモコン受光部２１４を介して開放許可要求信号を受信する（ステップＳ４１）と、前記リモコン４００を操作した従業員を特定するリモコン固有ＩＤが付加されたロック解除要求信号（操作者固有情報付開放要求信号）を管理装置３００へ送信する（ステップＳ４２）。このロック解除要求信号に対して、正当性の判定が管理装置３００において行われ、正当であればロック解除許可信号（開放許可信号）が返信される。
その間、ロック装置制御端末２００は、ロック解除要求信号を送信してから経過した時間をカウントしながら（ステップＳ４４）、管理装置３００からロック解除許可信号が送信されるのを待つ（ステップＳ４３）。
そして、規定時間内に、ロック解除許可信号を受信した場合には、図１３のタイミングチャートに示すように、ロック装置５０のロックソレノイド６０を励磁（ＯＮ）して内枠１０の開放規制を解除し（ステップＳ４５）、報知ランプ２１１及び島端ランプ２５０を点灯して開放を示す報知を開始し（ステップＳ４６）、ステップＳ５０（図６）の処理へと移行する。
一方、規定時間経過してもロック解除許可信号が受信されない場合（例えば、管理装置３００においてロック解除要求信号が異常と判定された場合）には、ステップＳ２０の処理へと戻る。
【００４７】
ステップＳ５０の「正常な内枠開放の監視」処理は、図１０に示すように、ステップＳ４６に続いて行われる。
【００４８】
ロック装置制御端末２００は、報知ランプ２１１及び島端ランプ２５０による開放を示す報知を開始して（ステップＳ４６）から経過した時間をカウントしながら（ステップＳ５２）、ロック装置５０の開放検出スイッチ５１が、内枠１０の開放を検出するのを待つ（ステップＳ５１）。
そして、規定時間内に、内枠１０の開放を検出した場合には、図１３のタイミングチャートに示すように、開放信号を管理装置３００へ送信し（ステップＳ５５）、所定時間経過したところで、ロック装置５０のロックソレノイド６０を消磁（ＯＦＦ）して内枠１０の開放規制を再び作動させ、ステップＳ６０（図６）の処理へと移行する。
一方、規定時間経過しても、内枠１０の開放が検出されない場合には、報知ランプ２１１及び島端ランプ２５０を消灯して開放を示す報知を停止し（ステップＳ５３）、ロック装置５０のロックソレノイド６０を消磁（ＯＦＦ）して内枠１０の開放規制を再び作動させ、ステップＳ２０（図６）の処理へと戻る。
【００４９】
ステップＳ６０（図６）の「内枠閉止の監視」処理は、図１１に示すように、ステップＳ５６に続いて行われる。
【００５０】
ロック装置制御端末２００は、内枠１０の開放規制を再び作動させてから、ロック装置５０の開放検出スイッチ５１が、内枠１０の閉止を検出するのを待つ（ステップＳ６１）。
そして、内枠１０の閉止を検出したら、管理装置３００へ閉止信号を送信し（ステップＳ６２）、ステップＳ７０（図６）の処理へ移行する。
【００５１】
このステップＳ７０（図６）の「内枠閉止確認」処理は、図１１に示すように、ステップＳ６２に続いて行われる。
【００５２】
ロック装置制御端末２００は、従業員の操作するリモコン４００から、リモコン受光部２１４を介して閉止確認信号が受信されるのを待つ（ステップＳ７１）。
そして、閉止確認信号を受信すると、前記リモコン４００を操作した従業員が特定されるリモコン固有ＩＤが付加された閉止認識要求信号（操作者固有情報付閉止終了連絡信号）を管理装置３００へと送信する（ステップＳ７２）。この閉止認識要求信号に対して、正当性の判定（リモコン固有ＩＤが管理装置３００の記憶装置３２０に登録されているか、又はロック解除要求信号のリモコン固有ＩＤと同一であるか）が管理装置３００において行われ、異常がなければ報知停止信号がロック装置制御端末２００へと送信される。
その間、ロック装置制御端末２００は、管理装置３００から報知停止信号が送信されるのを待つ（ステップＳ７３）。そして、報知停止信号を受信すると、図１３のタイミングチャートに示すように、報知ランプ２１１及び島端ランプ２５０を消灯して開放を示す報知を停止し（ステップＳ７４）、ステップＳ２０の処理へと戻る。
【００５３】
次に、管理装置３００側で行われる遊技機監視処理について説明する。
【００５４】
管理装置３００の電源が投下されると、ステップＲ１０の初期化処理が行われる。
この初期化処理では、管理装置３００のＲＡＭ領域の記憶内容のクリア、後述の処理にて用いられる各種フラグのリセット（”０”にセット）、各種装置への出力リセット（出力をＬレベルに設定）が行われ、ステップＲ２０以降の処理へと移行する。
【００５５】
ステップＲ２０の「モード切換指示」処理は、図７に示すように、管理装置３００の入力装置３１０からモード切換操作を行うこと（ステップＲ２１）により開始される。
なお、モード切換操作が行われない場合は、この処理をスキップして、ステップＲ３０へと移行する。
また、このステップＲ２０は、前述のロック装置制御端末２００において行われるステップＳ２０と対応している。
【００５６】
管理装置３００は、モード切換操作を確認すると、モード切換指令信号をロック装置制御端末２００，…へと送信し（ステップＲ２２）、ロック装置制御端末２００，…に所要の動作（ステップＳ２０）を行わせ、各パチンコ遊技機１００，…のモード（監視モード、非監視モード）を変換する。
モード切換指令信号の送信が完了したら、ステップＲ３０（図６）の処理へと移行する。
【００５７】
ステップＲ３０の「異常な内枠開放時の対応」処理は、ロック装置５０により内枠１０の開放が規制されている状態（ロック作動状態）において、パチンコ遊技機１００の内枠１０が開放されたときの処理である。
このステップＲ３０は、図８に示すように、ロック装置制御端末２００から開放信号を受信した（ステップＲ３１）ときに行われる。
なお、開放信号が受信されない場合は、この処理をスキップして、ステップＲ４０へと移行する。
また、このステップＲ３０は、前述のロック装置制御端末２００において行われるステップＳ３０と対応している。
【００５８】
管理装置３００は、ロック装置制御端末２００から送信された開放信号（ステップＳ３０）を受信すると、表示装置３３０による異常発生の表示を開始するとともに、インカム３６０及び店内スピーカー３５０による従業員への異常発生の報知、監視カメラ３７０によるパチンコ遊技機１００の監視、営業時間外の場合には、警備会社の外部端末５００に異常発生の報知を開始させる（ステップＲ３２）。
この場合、管理装置３００は開放信号の送信元アドレス等を頼りに、送信元のロック装置制御端末２００を特定した上で報知を行うようになっており、後述するロック解除要求信号や閉止認識要求信号の送信元を特定する際にも、同様の処理を行っている。尚、これに限らず、送信元のロック装置制御端末２００にて、開放信号、ロック解除要求信号、閉止認識要求信号に送信元のロック装置制御端末２００を特定する情報（台番号等の情報）を付加したものを、管理装置３００で受信して処理を行う形態であってもよい。
これら報知により、従業員又は警備会社によって、異常の原因が究明され、排除されたならば、入力装置３１０からリセット操作を行う（ステップＲ３３）。このリセット操作により、管理装置３００は、各報知手段（表示装置３３０、インカム３６０、店内スピーカー３５０、監視カメラ３７０、及び警備会社の外部端末５００）による異常発生を示す報知を停止させ（ステップＲ３４）、リセット信号をロック装置制御端末２００へと送信して（ステップＲ３５）、ロック装置制御端末２００に所要の動作（ステップＳ３０）を行わせる。
リセット信号の送信が完了したら、ステップＲ４０（図６）の処理へと移行する。
【００５９】
ステップＲ４０〜Ｒ６０（図６）は、所定の手順に従い従業員がパチンコ遊技機１００の内枠１０を開放したときの処理で、前述のロック装置制御端末２００において行われるステップＳ４０〜Ｓ７０と対応している。
【００６０】
ステップＲ４０の「内枠開放時のロック解除指示」は、図９に示すように、ロック装置制御端末２００から送信されたロック解除要求信号（ステップＳ４０）を受信したときに開始される。
なお、ロック解除要求信号が受信されない場合は、この処理をスキップして、ステップＲ２０へと戻る。
【００６１】
管理装置３００は、ロック解除要求信号を受信すると（ステップＲ４１）、ロック解除要求信号に付加されているリモコン固有ＩＤと記憶装置３２０に記憶されているリモコン固有ＩＤと照合を行い（ステップＲ４２）、受信したロック解除要求信号の正当性の判定を行う（ステップＲ４３）。
【００６２】
ロック解除要求信号が異常と判定される場合には、リモコン固有ＩＤに異常があることを、例えば、管理装置３００の表示装置３３０に表示して、事務所の管理者に対して報知する（ステップＲ４５）。
一方、ロック解除要求信号が正常と判定される場合には、ロック解除許可信号をロック装置制御端末２００へ送信して（ステップＲ４４）、ロック装置制御端末２００に所要の動作（ステップＳ４０）を行わせ、ステップＲ５０（図６）の処理へと移行する。
【００６３】
ステップＲ５０の「正常な内枠開放作業の監視」は、図１０及び図１１に示すように、ロック装置制御端末２００から送信された開放信号（ステップＳ５０）を受信したときに開始される。
【００６４】
管理装置３００は、開放信号を受信すると（ステップＲ５１）、図１３のタイミングチャートに示すように、報知手段（表示装置３３０、インカム３６０、店内スピーカー３５０、及び監視カメラ３７０）による内枠１０の開放を示す所定の報知動作を開始させ（ステップＲ５２）、ステップＲ６０（図６）の処理へと移行する。
【００６５】
ステップＲ６０の「内枠閉止確認の対応」は、図１１に示すように、ロック装置制御端末２００から送信された閉止信号（ステップＳ６０）を受信したときに開始される。
【００６６】
管理装置３００は閉止信号を受信すると（ステップＲ５３）、閉止信号を受信してから経過した時間をカウントしながら（ステップＲ６４）、閉止認識要求信号がロック装置制御端末２００から送信されるのを待つ（ステップＲ６１）。
【００６７】
そして、規定時間内に、閉止認識要求信号を受信した場合は、閉止認識要求信号に付加されているリモコン固有ＩＤと記憶装置３２０に記憶されている（又は、ロック解除要求信号に付加されていた）リモコン固有ＩＤと照合を行い（ステップＲ６２）、受信した閉止認識要求信号の正当性の判定を行う（ステップＲ６３）。
閉止認識要求信号が正常と判定される場合は、図１３のタイミングチャートに示すように、報知手段（表示装置３３０、インカム３６０、店内スピーカー３５０、及び監視カメラ３７０）による内枠１０の開放を示す所定の報知動作を停止させる（ステップＲ６９）とともに、報知停止信号をロック装置制御端末２００へ送信して（ステップＲ７０）、ロック装置制御端末２００に所要の動作（ステップＳ７０）を行わせる。
報知停止信号の送信が完了したら、ステップＲ２０（図６）の処理へと戻る。
【００６８】
一方、規定時間内に閉止認識要求信号を受信しなかった場合や、閉止認識要求信号が異常と判定される場合は、報知手段（表示装置３３０、インカム３６０、店内スピーカー３５０）による報知を、内枠１０の閉止確認を催促する報知へと内容変更する（ステップＲ６５）。
例えば、店内スピーカー３５０，…やインカム３６０，…を用いて「○○番台の内枠閉止確認をお願いします。」という音声メッセージを出力する。
そして、正常な閉止認識要求信号を受信するまで、閉止認識要求信号が送信されるのを待ち（ステップＲ６６）、送信された閉止認識要求信号に付加されているリモコン固有ＩＤの照合を行い（ステップＲ６７）、受信した閉止認識要求信号の正当性の判定を行う（ステップＲ６８）。
正常な閉止認識要求信号を受信したら、前述と同様に、報知手段による報知動作を停止させる（ステップＲ６９）とともに、報知停止信号をロック装置制御端末２００へ送信して（ステップＲ７０）から、ステップＲ２０（図６）の処理へと戻る。
【００６９】
この第１の実施の形態の遊技機監視システム１によれば、従業員がリモコン４００を操作することによって、内枠１０の開放規制が解除されるため、従業員以外の者が、例えば、内枠１０を不正に開放することはできない。
また、内枠１０の開放規制の解除を要求するロック解除要求信号の判定が管理装置３００において行われるため、事務所の管理者の負担が軽減される。
また、開閉検出スイッチ５１が内枠１０の開放を検出してから、管理装置３００から報知停止信号がロック装置制御端末２００に送信されるまでの間は、島端ランプ２５０及び報知ランプ２１１が点灯するため、内枠１０の閉め忘れを低減することが可能となる。
【００７０】
また、閉止認識要求信号の正当性を、閉止認識要求信号に付加されているリモコン固有ＩＤが、ロック解除要求信号に付加されていたリモコン固有ＩＤと同一であるかによって判定することも可能である。この場合、内枠１０を開放操作した操作者以外の者は、島端ランプ２５０及び報知ランプ２１１による報知を停止させることができない。従って、内枠１０を開放操作した操作者は、責任を持って内枠１０を閉止するようになり、不注意による、内枠１０の閉め忘れを低減することが可能となる。
【００７１】
また、ロック装置５０により内枠１０の開放が規制されている状態において、開閉検出スイッチ５１により内枠１０の開放が検出された場合に、報知手段（報知ランプ２１１、島端ランプ５０、表示装置３３０、インカム４０１、店内スピーカー３５０、監視カメラ３７０、外部端末５００など）が、異常発生を示す所定の報知動作を行うため、例えば、不正行為や、遊技機の故障などが発生した場合に、速やかに対処することが可能となる。
【００７２】
また、ロック装置５０による内枠１０の開放規制が解除されている状態において、報知ランプ２１１及び島端ランプ５０が点灯して内枠１０が開放可能であることを示すため、操作者は、内枠１０が開放可能な状態であるか否かを、確認してから、内枠１０を開放することが可能となる。従って、内枠１０の開放規制が解除されてないにも拘わらず、内枠１０を開放するといった不具合が生じるのを防止することが可能となる。
また、報知ランプ２１１及び島端ランプ５０が点灯して、内枠１０が開放可能であることを報知するため、内枠１０が開放可能な状態において、操作者がパチンコ遊技機１００から離れることを防止することが可能となる。
【００７３】
なお、この実施の形態例では、管理装置３００においてリモコン固有ＩＤの正当性を判定するようにしていたが、これをロック装置制御端末２００において行うようにしてもよい。
【００７４】
［第２の実施の形態］
第１の実施の形態では、従業員がリモコン４００を操作して、内枠１０のロック解除要求及び閉止認識要求を、店内のネットワークを介して事務所の管理装置３００へ送信していたが、第２の実施の形態では、これら要求を、従業員がインカム４０１を用いて事務所の管理者へ口頭で依頼し、その要求に応じて管理者が管理装置３００の入力装置３１０を操作するようになっている。この第２の実施の形態特有の部分以外は、上記第１の実施の形態におけると同様である。
【００７５】
この第２の実施の形態において、前述の第１の実施の形態と同一部分には同一符号を付し、その説明を省略する。
【００７６】
図１４は、第２の実施の形態の遊技機監視システムにおいて行われる「インカム利用の開放閉止処理」のゼネラルフローである。
【００７７】
「インカム利用の開放閉止処理」は、従業員が内枠１０を開閉するときに、インカム４０１を利用して、ロック装置５０の状態（ロック作動状態、ロック解除状態）を切り換える処理である。
この処理は、図１４に示すように、従業員がインカム４０１から内枠１０の開放許可を事務所の管理者へと依頼すること（ステップＳ２００）により開始される。
【００７８】
従業員は、例えば、球詰まり等によりパチンコ遊技機１００の内枠１０を開放する必要がある場合には、インカム４０１により、事務所の管理者に対して、内枠１０の開放許可を求める（ステップＳ２００）。
それに対して事務所の管理者は、管理装置３００の入力装置３１０を操作してロック解除の入力を行う（ステップＲ２００）。
【００７９】
このロック解除の入力により、管理装置３００は、ロック解除許可信号をロック装置制御端末２００へ送信する（ステップＲ１００）。
このロック解除許可信号を受信（ステップＳ１００）したロック装置制御端末２００は、ロック装置５０のロックソレノイド６０を励磁（ＯＮ）して、内枠１０の開放規制を解除し（ステップＳ１１０）、報知ランプ２１１及び島端ランプ２５０を点灯させて開放を示す報知を行う（ステップＳ１２０）。
【００８０】
これら報知を確認して従業員は、内枠１０を開放する。
このように内枠１０が開放されると、ロック装置制御端末２００は、ロック装置５０の開放検出スイッチ５１から内枠１０の開放を検出し（ステップＳ１３０）、管理装置３００へ開放信号を送信する。
この開放信号を受信した管理装置３００は、例えば、表示装置３３０、インカム３６０、店内スピーカー３５０、及び監視カメラ３７０に対して、内枠１０の開放を示す報知を開始させる（ステップＲ１１０）。
【００８１】
そして、従業員は、内枠１０を開放しての作業（球詰まりの解消など）が終了したら、内枠１０を閉止し（ステップＳ２２０）、閉止確認をインカム４０１からインカムシステム３６０Ａを介して、事務所の管理者に対して報告する（ステップＳ２３０）。
このとき、ロック装置制御端末２００は、ロック装置５０の開放検出スイッチ５１から内枠１０の閉止を検出し（ステップＳ１４０）、管理装置３００へ閉止信号を送信する。
事務所の管理者は、従業員から閉止確認の連絡を受けてから、管理装置３００の入力装置３１０を操作して報知停止の入力を行う（ステップＲ２１０）。
【００８２】
この報知停止操作により、管理装置３００は、表示装置３３０、インカム３６０、店内スピーカー３５０、及び監視カメラ３７０に対して、内枠１０の開放を示す報知を停止させるとともに（ステップＲ１２０）、ロック装置制御端末２００へ報知停止信号を送信する。
そして、ロック装置制御端末２００は、管理装置３００から報知停止信号を受信し（ステップＳ１５０）、報知ランプ２１１及び島端ランプ２５０を消灯させて開放を示す報知を停止させる（ステップＳ１６０）。
【００８３】
この第２の実施の形態の遊技機監視システム１によれば、既存のインカムシステム３６０Ａを活用することにより、システムの簡略化が可能となる。
また、リモコン４００が不要となるため、例えば、リモコン４００を置き忘れたり、紛失したりする恐れがなくなり、それを不正行為に悪用されるということもない。
【００８４】
なお、本発明は、各実施の形態のパチンコ遊技機１００に限られるものではなく、他のパチンコ遊技機、パチコン機、アレンジボール遊技機、雀球遊技機などの弾球遊技機、その他、パチスロ機、スロットマシーンなどの遊技機についても適用可能である。
【００８７】
【発明の効果】
請求項１記載の発明によれば、開閉扉部材の開放を要求する操作者を特定する操作者固有情報付開放要求信号を受け入れて該操作者固有情報付開放要求信号を前記管理装置へ開放要求信号送信手段が送信し、この開放要求信号送信手段からの操作者固有情報付開放要求信号の正当性を判定して、該判定結果が正当な場合には、開放規制解除手段へ開放許可信号を開放許可信号送信手段が送信し、この管理装置からの開放許可信号に基づいて、開放規制手段による規制を開放規制解除手段が解除するため、操作者固有情報付開放要求信号の正当性の判定結果が正当でなければ、取り付ける本体枠による開閉扉部材の開放の規制を解除して、開閉扉部材を開放することができない。つまり、例えば、従業員などの正当な操作者でなければ、開閉扉部材の開放の規制を解除して、開閉扉部材を開放することができないため、不正行為等による開閉扉部材の開放を防止することが可能となる。
また、報知手段は、管理装置からの開放許可信号を受信した場合に所定の報知動作を行うとともに、報知停止信号受信手段が管理装置からの報知停止信号を受信した場合に報知動作を停止し、開閉検出手段は、開閉扉部材の開閉状態を検出し、該検出結果に応じて開放信号或いは閉止信号を開閉送信手段が前記管理装置に送信する。
また、報知手段が、管理装置から開放許可信号を受信してから、報知停止信号受信手段が管理装置から送信される報知停止信号を受け入れるまでの間は、所定の報知動作を継続して行うため、開閉扉部材の閉め忘れを低減することが可能となる。
また、操作者固有情報付開放要求信号及び操作者固有情報付閉止終了連絡信号の正当性の判定が管理装置において集中して行われるため、例えば、正当性の判定を行うための情報の管理が容易となる。
【００８８】
請求項２記載の発明によれば、判定手段が、操作者固有情報付開放要求信号の操作者固有情報と、操作者固有情報付閉止終了連絡信号の操作者固有情報との比較により操作者固有情報付閉止終了連絡信号の正当性を判定するため、開閉扉部材を開放操作した操作者以外の者は、報知手段による報知動作を停止させることができない。従って、開閉扉部材を開放操作した操作者は、責任を持って開閉扉部材を閉止するようになり、不注意による、開閉扉部材の閉め忘れを低減することが可能となる。
【００８９】
請求項３記載の発明によれば、報知手段が、ｊにより開閉扉部材の開放が規制されている状態において、開閉検出手段によって開閉扉部材の開放が検出された場合に、異常発生を示す所定の報知動作を行うため、例えば、不正行為や、開放規制手段の故障などが発生した場合に、速やかに対処することが可能となる。
【００９０】
請求項４記載の発明によれば、操作者固有情報付閉止終了連絡信号を規定時間内に受信しなかった場合は、報知手段による報知が開閉扉部材の閉止確認を催促する報知へと内容変更される。
【図面の簡単な説明】
【図１】この発明の第１の実施の形態の遊技機監視システムが監視対象とする遊技機として例示するパチンコ遊技機を示す正面図である。
【図２】パチンコ遊技機に取り付けられたロック装置を示すパチンコ遊技機の部分斜視図である。
【図３】ロック装置を示す断面図である。
【図４】第１の実施の形態の遊技機監視システムを示すブロック図である。
【図５】遊技機監視システムを構成するロック装置制御端末を示すブロック図である。
【図６】遊技機監視システムにおいて行われる遊技機監視処理のゼネラルフローである。
【図７】図６の詳細なフローチャートである。
【図８】図７の続きのフローチャートである。
【図９】図８の続きのフローチャートである。
【図１０】図９の続きのフローチャートである。
【図１１】図１０の続きのフローチャートである。
【図１２】図１１の続きのフローチャートである。
【図１３】遊技機監視処理のタイミングチャートである。
【図１４】第２の実施の形態の遊技機監視システムにおいて行われる「インカム利用の開放閉止処理」のゼネラルフローである。
【符号の説明】
１      遊技機監視システム
１０    内枠（開閉扉部材）
２０    機枠
３０    ロック係止部材
３１    係合穴
５０    ロック装置（開放規制手段）
５１    開放検出スイッチ（開閉検出手段）
６０    ロックソレノイド
６２    ロック作動片
１００  パチンコ遊技機（遊技機）
２００  ロック装置制御端末（遊技機監視機構）
２１１  報知ランプ（報知手段）
２１４  リモコン受光部
２５０  島端ランプ（報知手段）
３００  管理装置
４００  リモコン
４０１  インカム
【図１】
0003816652.tif 000002
【図２】
0003816652.tif 000003
【図３】
0003816652.tif 000004
【図４】
0003816652.tif 000005
【図５】
0003816652.tif 000006
【図６】
0003816652.tif 000007
【図７】
0003816652.tif 000008
【図８】
0003816652.tif 000009
【図９】
0003816652.tif 000010
【図１０】
0003816652.tif 000011
【図１１】
0003816652.tif 000012
【図１２】
0003816652.tif 000013
【図１３】
0003816652.tif 000014
【図１４】
0003816652.tif 000015